(57)【要約】【課題】給電構造体における給電端子と被給電端子との導通を従来よりも確実にする。【解決手段】バッテリ２０に備えられた給電端子２０ａと、装置に備えられ前記給電端子２０ａに接触して前記バッテリ２０の出力電力を受容する被給電端子１１ａと、からなる給電構造体であって、前記給電端子２０ａと前記被給電端子１１ａとは、互いに複数点（例えばａ点及びｂ点）で接触するように成形されている。【選択図】図３
2008108672.tif 000002
【特許請求の範囲】
【請求項１】
バッテリに備えられた給電端子と、装置に備えられ前記給電端子に接触して前記バッテリの出力電力を受容する被給電端子と、からなる給電構造体であって、
前記給電端子と前記被給電端子とは、互いに複数点で接触するように成形されている
ことを特徴とする給電構造体。
【請求項２】
前記給電端子と前記被給電端子との一方は、頂部が略半球形に形成された突起形状であって、他方は、前記突起形状よりも小さい突起が複数連続的に形成された凹凸面形状であることを特徴とする請求項１に記載の給電構造体。
【請求項３】
前記バッテリに備えられた前記給電端子に接触して前記バッテリの出力電力を受容する前記被給電端子を有し、前記バッテリから供給される電力によって作動する携帯装置であって、
前記被給電端子は、前記バッテリの前記給電端子と共に請求項１又は２に記載の前記給電構造体を構成するものである
ことを特徴とする携帯装置。
【発明の詳細な説明】
【技術分野】
【０００１】
本発明は、給電構造体及び携帯装置に関する。
【背景技術】
【０００２】
携帯電話機等の携帯装置には、バッテリから供給される電力により作動するものがある。バッテリと装置本体との導通は、バッテリに設けられた給電端子と装置本体に設けられた被給電端子とを接触させることにより行われる。
上記給電端子及び被給電端子からなる給電構造体は、一般に、特許文献１に開示された電源ピン（被給電端子に相当）及び給電端子部材（給電端子に相当）のようなものであって、即ち、被給電端子が突起形状、給電端子が平面形状とされ、両端子がバネ等の付勢によって密着させられる構成とされている。
【特許文献１】特開２００２−５６８３１号公報
【発明の開示】
【発明が解決しようとする課題】
【０００３】
上記のような従来の給電構造体では、給電端子と被給電端子とが１つの接触点によって接触しているので、両端子の接触点の間にゴミが挟まる等の理由で、両端子が絶縁状態となって導通しなくなることがある。
また、給電端子と被給電端子とが１つの接触点によって接触しているので、携帯装置を誤って落下させた場合等に、外部からの衝撃によって給電端子と被給電端子との接触点が離間して、導通しなくなることがある。
【０００４】
本発明は、上述した事情に鑑みてなされたもので、給電構造体における給電端子と被給電端子との導通を従来よりも確実にすることを目的とする。
【課題を解決するための手段】
【０００５】
上記課題を解決するために、本発明では、第１の手段として、バッテリに備えられた給電端子と、装置に備えられ前記給電端子に接触して前記バッテリの出力電力を受容する被給電端子と、からなる給電構造体であって、前記給電端子と前記被給電端子とは、互いに複数点で接触するように成形されていることを特徴とする給電構造体を採用した。
【０００６】
第２の手段として、上記第１の手段に係る給電構造体において、前記給電端子と前記被給電端子との一方は、頂部が略半球形に形成された突起形状であって、他方は、前記突起形状よりも小さい突起が複数連続的に形成された凹凸面形状であるものを採用した。
【０００７】
第３の手段として、前記バッテリに備えられた前記給電端子に接触して前記バッテリの出力電力を受容する前記被給電端子を有し、前記バッテリから供給される電力によって作動する携帯装置であって、前記被給電端子は、前記バッテリの前記給電端子と共に請求項１又は２に記載の前記給電構造体を構成するものであることを特徴とする携帯装置を採用した。
【発明の効果】
【０００８】
本発明によれば、給電構造体における両端子間の接触点を複数にしたので、ある接触点の間にゴミが挟まる等しても、他の接触点によって両端子間の導通状態が保たれるため、給電構造体における両端子間の導通を従来よりも確実にすることができる。
また、両端子間が複数点で接触する構成により、携帯装置の落下等による外部からの衝撃があっても、両端子の接触を保ち易くなり、したがって、機械的に強固な給電構造体を提供できる。
【発明を実施するための最良の形態】
【０００９】
以下、本発明の給電構造体の一実施形態について、図面を参照して説明する。図１は、本実施形態における給電構造体が採用された装置である携帯電話機の外観を示す斜視図である。携帯電話機は、表示側本体１と操作側本体２とを有している。
【００１０】
表示側本体１と操作側本体２とは、互いに略同じ長さ及び幅を有すると共にそれぞれ所定厚さを有している。また、表示側本体１と操作側本体２とは、互いの一端部をヒンジ構造３によって回動自在に連結されており、これにより、携帯電話機は、表示側本体１と操作側本体２とを重ね合わせた状態に折り畳み可能となっている。
したがって、表示側本体１は、携帯電話機を折り畳んだ状態では、操作側本体２に対して厚さ方向に重なるように位置し、携帯電話機を開いた状態では、操作側本体２に対して長さ方向に連なるように位置し、これら２つの位置の何れかに移動自在である。
【００１１】
表示側本体１は、表示パネル４がはめ込まれスピーカー５が配設された表示側筐体６内に、各種電子部品を収納してなる。また、操作側本体２は、操作パネル７がはめ込まれマイク８が配設された操作側筐体９内に、各種電子部品を収納してなる。
表示パネル４は、携帯電話機を折り畳んだ状態で表示側筐体６の内側となる部分にはめ込まれている。操作パネル７は、携帯電話機を折り畳んだ状態で操作側筐体９の内側となる部分にはめ込まれている。
【００１２】
図２は、操作側本体２の内部構成を示す断面図である。
上記各種電子部品の主要なものとしては、プリント配線板１０（図２参照）がある。プリント配線板１０は、集積回路、抵抗器、コンデンサー等の部品を実装し、これらの部品間を接続して電子回路を構成する配線を形成した板状またはフィルム状の部品であって、図示しない周知の通信部や記憶部、制御部等を構成する。
【００１３】
また、操作側筐体９の操作パネル７の背面側には、バッテリ２０を収納するバッテリ収納部９ａが形成されている。そして、プリント配線板１０のバッテリ収納部９ａの一端部近傍には、電力受容部１１が設けられている。電力受容部１１には、バッテリ収納部９ａ方向に突出する複数の被給電端子１１ａが設けられている。
【００１４】
バッテリ２０は、薄い直方体であって、一端部に、凹形状の給電端子２０ａを有している。このバッテリ２０は、給電端子２０ａが被給電端子１１ａに接触する状態にバッテリ収納部９ａに収納され、プリント配線板１０に電力を供給する。
【００１５】
図３（ａ）は、被給電端子１１ａとバッテリ２０の給電端子２０ａとの接触状態を拡大した図であって、図３（ｂ）は、比較として示す従来の被給電端子１１ａとバッテリ３０の給電端子３０ａとの接触状態を示す図である。また、図４は、給電端子２０ａの形状を一部断面にて示す斜視図である。
図３（ａ）に示すように、本実施形態の被給電端子１１ａは、頂部が略半球形状の突起である。バッテリ２０の給電端子２０ａは、図４に示すように、上記凹形状の底部に、被給電端子１１ａよりも小さい多数の突起２１が連続的に形成された凹凸面を有するものである。
【００１６】
このような構成において、各部はバッテリ２０から供給される電力によって作動し、表示パネル４、スピーカー５、操作パネル７、マイク８、通信部、記憶部及び制御部は、携帯電話機としての周知の機能を実現する。
以下、このように構成された携帯電話機の要部の作用効果を説明する。
【００１７】
本携帯電話機においては、バッテリ収納部９ａに収納されたバッテリ２０は、電力受容体１１の被給電端子１１ａが給電端子２０ａの底部の凹凸面に接触することにより、電力受容部１１を介して上記各部へ給電する。
被給電端子１１ａと給電端子２０ａとは、図３（ａ）に示すように複数点（例えばａ点及びｂ点）で接触する。
【００１８】
ここで、比較として図３（ｂ）に示す従来の給電構造においては、被給電端子１１ａと給電端子３０ａとは、１点（例えばｃ点）で接触している。したがって、この１点において、被給電端子１１ａと給電端子３０ａとの間にゴミが挟まる等してしまうと、給電端子３０ａと被給電端子１１ａとが絶縁状態となり、導通が得られなくなるので、給電端子３０ａから被給電端子１１ａへの給電が行われなくなってしまう。
【００１９】
しかしながら、その点において、本実施形態の給電構造は、被給電端子１１ａと給電端子２０ａとが、図３（ａ）に示すように複数点（例えばａ点及びｂ点）で接触する構造であるので、一つの接触点（例えばａ点）の間にゴミが挟まる等しても、他の接触点（例えばｂ点）によって両端子間の導通状態が保たれるため、給電構造における両端子間の導通を従来よりも確実にすることができる。
更に、本実施形態の給電端子２０ａは、鋭角的な山形の突起を連続的に形成したものであるので、被給電端子１１ａとの間にゴミ等が挟まっても、ゴミを噛み砕く効果を期待できる。
【００２０】
そして、本実施形態の給電構造は、携帯電話機に用いられているが、携帯電話機には、例えば携帯電話機をユーザが誤って取り落として衝撃が加わるような場合がある。このような場合には、従来のような１点接触による給電構造では導通が途切れる虞が高く、実際に導通が途切れて携帯電話機の電源が落ちるという事象も報告されている。
しかしながら、本実施形態によれば、携帯電話機に衝撃が加わった場合にも、複数点接触による給電構造であるので、従来に比べて給電端子２０ａと被給電端子１１ａとの両端子間の導通状態が保たれる可能性を高くすることができる。
【００２１】
なお、給電端子２０ａの凹凸面は、平滑面に、メッキ処理、ブラスト処理及びエッチング処理、或いはその他の所定の表面粗さを形成する処理を施すことによって形成する。
また、本実施形態では携帯電話機を例として説明したが、実施にあたってはこれに限らず、他の携帯端末であってもよい。
【図面の簡単な説明】
【００２２】
【図１】本発明の一実施形態における携帯電話機の外観を示す斜視図である。
【図２】本発明の一実施形態における操作側本体の内部構成を示す断面図である。
【図３】（ａ）本発明の一実施形態における被給電端子とバッテリの給電端子との接触状態を拡大して示す説明図である。（ｂ）比較として示す従来例である。
【図４】本発明の一実施形態における給電端子の形状を一部断面にて示す斜視図である。
【符号の説明】
【００２３】
１…表示側本体、  ２…操作側本体、  ３…ヒンジ構造、  ４…表示パネル、  ５…スピーカー、  ６…表示側筐体、  ７…操作パネル、  ８…マイク、  ９…操作側筐体、  ９ａ…バッテリ収納部、  １０…プリント配線板、  １１…電力受容部、  １１ａ…被給電端子、  ２０…バッテリ、  ２０ａ…給電端子、（従来：３０…バッテリ、  ３０ａ…給電端子）
【図１】
2008108672.tif 000003
【図２】
2008108672.tif 000004
【図３】
2008108672.tif 000005
【図４】
2008108672.tif 000006